(57)【特許請求の範囲】
【請求項１】
地中に鋼管杭を打設し、その鋼管杭の上に構造物の基礎を施工する際に、打設した鋼管杭の頭部に被せる鋼管杭用の頭部蓋であって、
鋼板をプレス加工してなり、少なくとも鋼管杭の内径より大きな外径を有する円形輪郭の鍔部と、その鍔部の内側に形成された、平面視で３カ所の角部がいずれも円弧状の略三角形をなす略三角形筒状のヘコミ部とを有し、前記略三角形筒状のヘコミ部は、当該頭部蓋を鋼管杭の頭部に被せた時に、前記３カ所の円弧状角部において鋼管杭の内面に圧入される輪郭寸法を有する形状であることを特徴とする鋼管杭用の頭部蓋。
【請求項２】
前記ヘコミ部の円弧状角部の縦断面は、前記ヘコミ部の底板側に向かって平面視内向きに傾斜した内向き傾斜部を有することを特徴とする請求項１の鋼管杭用の頭部蓋。
【発明の詳細な説明】
【技術分野】
【０００１】
この発明は、鋼管杭を打設した後に、その頭部に蓋をする必要がある場合に用いられる鋼管杭用の頭部蓋に関する。
【背景技術】
【０００２】
建築物等の構造物の建設において、鋼管杭を打設し、その鋼管杭の上に構造物の例えばコンクリート基礎を施工する場合、打設した鋼管杭の周囲を掘削し、鋼管杭を所定高さ位置にて切断した上で、コンクリート基礎を施工する。
その段階で鋼管杭の頭部が開放のままでは、砕石を敷く際やコンクリート打設の際に砕石やコンクリートが鋼管杭の中に入ってしまうので、それを防ぐために一般に鋼管杭の上端に蓋を被せる。
その蓋として、従来は、図５（イ）、（ロ）、（ハ）に示すように、円板１２ａの片側面に垂直に矩形板１２ｂを溶接固定して、断面がＴ字形をなすような頭部蓋１２を被せている。
【発明の概要】
【発明が解決しようとする課題】
【０００３】
上記従来の頭部蓋１２では、鋼管杭１０の内面に緊密に嵌合できない場合が生じやすい。
すなわち、鋼管杭内面に嵌合する矩形板１２ｂは管の直径方向に嵌合するが、鋼管杭１０が真円ではないことが多々あるので、その場合には、矩形板１２ｂの位置によっては管内面に緊密に嵌合しない状態となることがある。また、管の直径方向だけでの嵌合では、安定性が低く、また、矩形板１２ｂの長さを精度よくしないと緊密な嵌合とはなりにくい。
また、この頭部蓋１２は円板１２ａを作る加工と、矩形板１２ｂを作る加工と、矩形板１２ｂを円板１２ａに溶接する加工とが必要で、手間がかかりコストが高くなる。
また、円板と矩形板１２ｂとで断面Ｔ字形をなす形状は、多数個を収納しあるいは持ち運びする際に嵩張り、取り扱いがしにくいということもある。
【０００４】
本発明は上記従来の欠点が解消される鋼管杭用の頭部蓋を提供することを目的とする。
【課題を解決するための手段】
【０００５】
上記課題を解決する請求項１の発明は、地中に鋼管杭を打設し、その鋼管杭の上に構造物の基礎を施工する際に、打設した鋼管杭の頭部に被せる鋼管杭用の頭部蓋であって、
鋼板をプレス加工してなり、少なくとも鋼管杭の内径より大きな外径を有する円形輪郭の鍔部と、その鍔部の内側に形成された、平面視で３カ所の角部がいずれも円弧状の略三角形をなす略三角形筒状のヘコミ部とを有し、前記略三角形筒状のヘコミ部は、当該頭部蓋を鋼管杭の頭部に被せた時に、前記３カ所の円弧状角部において鋼管杭の内面に圧入される輪郭寸法を有する形状であることを特徴とする。
【０００６】
請求項２は、請求項１の鋼管杭用の頭部蓋において、前記ヘコミ部の円弧状角部の縦断面は、ヘコミ部の底板側に向かって平面視内向きに傾斜した内向き傾斜部を有することを特徴とする。
【発明の効果】
【０００７】
本発明の頭部蓋によれば、鋼管杭の内面に緊密に嵌合し易く、かつ、管内面に安定して嵌合する。
また、鋼管杭が真円でない場合でもそれに対応して緊密な嵌合を確保し易い。また、金型による単純なプレス加工で製作できるので寸法精度を一定にし易く、単純なプレス加工で製作できるからコストが大幅に安く済む。
また、従来のＴ字断面をなす頭部蓋と異なり、重ね合わせることができるので、多数個を収納しあるいは持ち運びする際に嵩張らず、かつ、取り扱いが容易であるという種々の大きな長所がある。
【図面の簡単な説明】
【０００８】
【図１】（イ）は本発明の一実施例の鋼管杭用の頭部蓋の使用時の下面側から見た平面図、（ロ）は（イ）のＡＯＡ断面図である。
【図２】（イ）は図１の頭部蓋を鋼管杭の頭部に被せた状態で示した図（（イ）のＡＯＡ断面図に対応）、（ロ）は（イ）のＢ部拡大図である。
【図３】図１（イ）のＡ−Ａ’断面図である。
【図４】鋼管杭施工時の上記頭部蓋の使用状態を説明する図である。
【図５】従来の鋼管杭用の頭部蓋を示すもので、（イ）は使用時の上面側から見た平面図、（ロ）は（イ）の正面図（頭部蓋を鋼管杭に被せた状態で示す）、（ハ）は（ロ）の側面図である。
【発明を実施するための形態】
【０００９】
以下、本発明の鋼管杭用の頭部蓋を実施するための形態について、図面を参照して説明する。
【実施例１】
【００１０】
本発明の頭部蓋１は、図４のように、地中に打設された鋼管杭１０の頭部に被せられる。
この頭部蓋１は、鋼板をプレス加工してなり、図１〜図３にも示すように、少なくとも鋼管杭１０の内径ｄより大きな外径Ｄを有する円形輪郭の鍔部２と、その鍔部２の内側に形成された、平面視で角部が円弧状の略三角形をなす略三角形筒状のヘコミ部４とを有している。略三角形筒状のヘコミ部４は、略三角形の平坦な底板４ａと、底板４ａから立上る略三角筒壁部４ｂとからなる。前記円弧状の角部（円弧状角部）を符号３で示す。
前記略三角形筒状のヘコミ部４は、当該頭部蓋１を図２（イ）に示すように鋼管杭１０の頭部に被せた時に、前記３カ所の円弧状角部３において鋼管杭１０の内面に圧入される輪郭寸法を有している。図２（イ）に二点鎖線で示したものは、鋼管杭への圧入前の頭部蓋１の形状を説明するための図であり、図示の通り略三角形筒状のヘコミ部４は、鋼管杭内に圧入された状態では僅かに縮径された状態となる。
前記ヘコミ部４における円弧状角部３の縦断面形状（略三角筒壁部４ｂ縦断面形状）は、図２（ロ）に拡大して示すようにヘコミ部４の底板４ａ側に向かって平面視内向きに傾斜した内向き傾斜部４ｃを有している。この内向き傾斜部４ｃの角度θは実施例では約１７°である。また、略三角筒壁部４ｂと鍔部２との間の曲げコーナー部には逃げ４ｄを設けており、鋼管杭の上端面と鍔部２との間に隙間が生じないようにしている。
なお、前記ヘコミ部４はその使用時の下面側から見た図１（イ）では凸部となるので、その凸部を４’で示した。
前記鍔部２は、頭部蓋１におけるヘコミ部４（ないし凸部４’）以外の部分を指す。
【００１１】
図１（イ）、（ロ）において、直径Ｄ１はこの頭部蓋１のヘコミ部４の鋼管杭への圧入外径を示す。この実施例では、この圧入外径Ｄ１を、鋼管杭の内径９３．２ｍｍφに対して９４ｍｍφとしている。実施例の鋼管杭の外径は１０１．６ｍｍφである。
実施例の頭部蓋１の板厚ｔは２ｍｍ、高さｈは１０ｍｍ、圧入部長さ（深さ）ｍは４ｍｍである。
【００１２】
建築物等の構造物の建設において、鋼管杭を打設し、その鋼管杭の上に構造物の例えばコンクリート基礎を施工する等の場合、打設した鋼管杭の周囲を掘削し、鋼管杭を所定高さ位置にて切断した上で、コンクリート基礎を施工する。図４は鋼管杭１０の周囲を掘削した段階を示し、この段階で鋼管杭１０の頭部に頭部蓋１を被せる。
続いて、例えば砕石を敷くあるいは捨コンを施す等の作業となるが、頭部蓋１を被せているので、砕石や捨コンが鋼管杭の中に入ってしまうのを防止できる。
【００１３】
上記の頭部蓋１によれば、鋼管杭内に嵌合するヘコミ部４が、平面視で３カ所の角部がいずれも円弧状の略三角形をなす略三角形筒状をなしているので、従来の頭部蓋１２のように鋼管杭に矩形板１２ｂの両端の２か所で嵌合するものと比較して、３カ所の円弧状角部３で嵌合するので、鋼管杭１０の内面に顕著に緊密に嵌合し易い。
特に、実際の鋼管杭は真円でない場合が多々あるが、３カ所の円弧状角部３で嵌合するので、真円でない場合でも緊密な嵌合を容易に確保できる。
また、３カ所の円弧状角部３で嵌合するので、管内面に内での嵌合状態は安定している。
また、金型による単純なプレス加工で製作できるので、従来の頭部蓋１２と比較して寸法精度を一定にし易い。
また、単純なプレス加工で製作できるからコストが大幅に安く済む。
また、Ｔ字断面をなすものと異なり、重ね合わせることができるので、多数個を収納しあるいは持ち運びする際に嵩張らず、かつ、取り扱いが容易である。
上述の通り本発明の頭部蓋は、従来の頭部蓋１２と比較して、多くの長所を有する。
【００１４】
なお、本発明の頭部蓋は、鋼管杭を打設する種々の場合に適用できる。例えば、鋼管杭の先端に掘削刃を持つ場合及び持たない場合、また、鋼管杭の先端近傍等に切込みを持つ鍔部により形成される上向き羽根・下向き羽根を設けている場合及び設けていない場合、鋼管杭先端面を端面板で閉塞している場合及び開放である場合等の、種々の場合に適用できる。
また、実施例の鋼管杭は１０１．６ｍｍφであるが、そのサイズに限定されない。
【符号の説明】
【００１５】
１  頭部蓋
２  鍔部
３  円弧状角部（円弧状の角部）
４  （略三角形筒状の）ヘコミ部
４ａ  底板
４ｂ  略三角筒壁部
４ｃ  内向き傾斜部
１０  鋼管杭
ｄ  鋼管杭の内径
Ｄ  鍔部の外径
Ｄ１  （ヘコミ部４の鋼管杭への）圧入外径
θ  内向き傾斜部４ｃの角度
【要約】      （修正有）【課題】鋼管杭の内面に緊密にかつ安定して嵌合し、鋼管杭が真円でない場合でもそれに対応して緊密な嵌合を確保でき、安価に製作でき、取り扱いが容易な頭部蓋を提供する。【解決手段】地中に鋼管杭を打設し、その鋼管杭の上に構造物の基礎を施工する際に、打設した鋼管杭の頭部に被せる鋼管杭用の頭部蓋であって、鋼板をプレス加工してなり、少なくとも鋼管杭の内径より大きな外径Ｄを有する円形輪郭の鍔部２と、その鍔部２の内側に形成された、平面視で３カ所の角部３がいずれも円弧状の略三角形をなす略三角形筒状のヘコミ部４とを有する。前記略三角形筒状のヘコミ部４は、当該頭部蓋を鋼管杭の頭部に被せた時に、前記３カ所の円弧状角部３において鋼管杭の内面に圧入される輪郭寸法を有する形状である。【選択図】図１【図１】
0006022098.tif 000002
【図２】
0006022098.tif 000003
【図３】
0006022098.tif 000004
【図４】
0006022098.tif 000005
【図５】
0006022098.tif 000006